(57)【要約】      （修正有）【課題】寄生容量成分を低減した２本のワイヤを多層に巻回してなるコイル部品を提供する。【解決手段】コイル部品は、巻芯部１３に巻回されたワイヤＷ１、Ｗ２を備える。ワイヤＷ１、Ｗ２は、巻芯部１３上において少なくとも３層の巻回層を構成し、ワイヤＷ１、Ｗ２の第ｉターン（ｉは１以上の整数）、第ｉ＋１ターン及び第ｉ＋２ターンは、互いに異なる巻回層に位置する。このように、ターン数の近い第ｉ〜第ｉ＋２ターンを互いに異なる巻回層に配置していることから、ターン数差の大きいターン同士を隣接させることによる寄生容量成分の増加を防止することができる。【選択図】図６
2020120089.tif 000002
【特許請求の範囲】
【請求項１】
巻芯部と、
前記巻芯部に巻回された第１及び第２のワイヤと、を備え、
前記第１及び第２のワイヤは、前記巻芯部上において少なくとも３層の巻回層を構成し、
前記第１及び第２のワイヤの第ｉターン（ｉは１以上の整数）、第ｉ＋１ターン及び第ｉ＋２ターンは、互いに異なる巻回層に位置することを特徴とするコイル部品。
【請求項２】
前記第１及び第２のワイヤは、前記巻芯部に近い層から順に、下層、中間層及び上層を含む３層の巻回層を構成し、
前記下層には前記第１及び第２のワイヤの前記第ｉターンが巻回され、
前記中間層には前記第１及び第２のワイヤの前記第ｉ＋１ターンが巻回され、
前記上層には前記第１及び第２のワイヤの前記第ｉ＋２ターンが巻回されることを特徴とする請求項１に記載のコイル部品。
【請求項３】
前記第１のワイヤの第ｉ＋４ターンは、前記第１のワイヤの前記第ｉターンと前記第２のワイヤの前記第ｉターンによって形成される谷線に沿って巻回され、
前記第１のワイヤの第ｉ＋５ターンは、前記第１のワイヤの前記第ｉ＋１ターンと前記第２のワイヤの前記第ｉ＋１ターンによって形成される谷線に沿って巻回されることを特徴とする請求項２に記載のコイル部品。
【請求項４】
前記第２のワイヤの第ｉ＋４ターンは、前記第１のワイヤの第ｉ＋３ターンと前記第２のワイヤの前記第ｉターンによって形成される谷線に沿って巻回され、
前記第２のワイヤの第ｉ＋５ターンは、前記第１のワイヤの前記第ｉ＋４ターンと前記第２のワイヤの前記第ｉ＋１ターンによって形成される谷線に沿って巻回されることを特徴とする請求項３に記載のコイル部品。
【請求項５】
前記第１のワイヤの第ｉ＋７ターンは、前記第１のワイヤの前記第ｉターンと前記第２のワイヤの前記第ｉターンによって形成される谷線に沿って巻回され、
前記第１のワイヤの第ｉ＋５ターンは、前記第１のワイヤの前記第ｉ＋１ターンと前記第２のワイヤの前記第ｉ＋１ターンによって形成される谷線に沿って巻回されることを特徴とする請求項２に記載のコイル部品。
【請求項６】
前記第２のワイヤの第ｉ＋７ターンは、前記第１のワイヤの第ｉ＋３ターンと前記第２のワイヤの前記第ｉターンによって形成される谷線に沿って巻回され、
前記第２のワイヤの第ｉ＋５ターンは、前記第１のワイヤの第ｉ＋４ターンと前記第２のワイヤの前記第ｉ＋１ターンによって形成される谷線に沿って巻回されることを特徴とする請求項５に記載のコイル部品。
【請求項７】
前記第１及び第２のワイヤは、前記巻芯部に近い層から順に、下層、第１中間層、第２中間層及び上層を含む４層の巻回層を構成し、
前記下層には前記第１及び第２のワイヤの前記第ｉターンが巻回され、
前記第１中間層には前記第１及び第２のワイヤの前記第ｉ＋１ターンが巻回され、
前記第２中間層には前記第１及び第２のワイヤの前記第ｉ＋２ターンが巻回され、
前記上層には前記第１及び第２のワイヤの前記第ｉ＋３ターンが巻回されることを特徴とする請求項１に記載のコイル部品。
【請求項８】
前記第１のワイヤの第ｉ＋５ターンは、前記第１のワイヤの前記第ｉターンと前記第２のワイヤの前記第ｉターンによって形成される谷線に沿って巻回され、
前記第１のワイヤの第ｉ＋６ターンは、前記第１のワイヤの前記第ｉ＋１ターンと前記第２のワイヤの前記第ｉ＋１ターンによって形成される谷線に沿って巻回され、
前記第１のワイヤの第ｉ＋７ターンは、前記第１のワイヤの前記第ｉ＋２ターンと前記第２のワイヤの前記第ｉ＋２ターンによって形成される谷線に沿って巻回されることを特徴とする請求項７に記載のコイル部品。
【請求項９】
前記第２のワイヤの第ｉ＋５ターンは、前記第１のワイヤの第ｉ＋４ターンと前記第２のワイヤの前記第ｉターンによって形成される谷線に沿って巻回され、
前記第２のワイヤの第ｉ＋６ターンは、前記第１のワイヤの前記第ｉ＋５ターンと前記第２のワイヤの前記第ｉ＋１ターンによって形成される谷線に沿って巻回され、
前記第２のワイヤの第ｉ＋７ターンは、前記第１のワイヤの前記第ｉ＋６ターンと前記第２のワイヤの前記第ｉ＋２ターンによって形成される谷線に沿って巻回されることを特徴とする請求項８に記載のコイル部品。
【請求項１０】
前記第１のワイヤの第ｉ＋９ターンは、前記第１のワイヤの前記第ｉターンと前記第２のワイヤの前記第ｉターンによって形成される谷線に沿って巻回され、
前記第１のワイヤの第ｉ＋６ターンは、前記第１のワイヤの前記第ｉ＋１ターンと前記第２のワイヤの前記第ｉ＋１ターンによって形成される谷線に沿って巻回され、
前記第１のワイヤの第ｉ＋７ターンは、前記第１のワイヤの前記第ｉ＋２ターンと前記第２のワイヤの前記第ｉ＋２ターンによって形成される谷線に沿って巻回されることを特徴とする請求項７に記載のコイル部品。
【請求項１１】
前記第２のワイヤの第ｉ＋９ターンは、前記第１のワイヤの第ｉ＋４ターンと前記第２のワイヤの前記第ｉターンによって形成される谷線に沿って巻回され、
前記第２のワイヤの第ｉ＋６ターンは、前記第１のワイヤの第ｉ＋５ターンと前記第２のワイヤの前記第ｉ＋１ターンによって形成される谷線に沿って巻回され、
前記第２のワイヤの第ｉ＋７ターンは、前記第１のワイヤの前記第ｉ＋６ターンと前記第２のワイヤの前記第ｉ＋２ターンによって形成される谷線に沿って巻回されることを特徴とする請求項１０に記載のコイル部品。
【請求項１２】
鍔部と、
前記鍔部に設けられ、前記第１及び第２のワイヤの一端が継線された端子電極と、をさらに備え、
前記第１及び第２のワイヤの前記一端は、前記端子電極を介して短絡されることを特徴とする請求項１乃至１１のいずれか一項に記載のコイル部品。
【発明の詳細な説明】
【技術分野】
【０００１】
本発明はコイル部品に関し、特に、巻芯部にワイヤが多層に巻回されてなるコイル部品に関する。
【背景技術】
【０００２】
巻芯部にワイヤが巻回されてなるコイル部品のインダクタンスを高めるためには、ワイヤのターン数を増加させる必要があるが、巻芯部にワイヤを単層に巻回する方法では、ターン数に比例して巻芯部に必要な長さが増大してしまう。このため、巻芯部の長さを抑えつつ、ワイヤのターン数を増加させるためには、特許文献１に記載されているように巻芯部にワイヤを多層に巻回する必要がある。
【０００３】
一方、主に電源回路に用いられるコイル部品においては、低い直流抵抗と高い定格電流が要求される。これを実現するためには、並列接続された２本のワイヤを使用する方法が考えられる。例えば、特許文献１の図６〜図８には、２本のワイヤを多層に巻回してなるコイル部品が開示されている。
【先行技術文献】
【特許文献】
【０００４】
【特許文献１】特開平１１−７４１３３号公報
【発明の概要】
【発明が解決しようとする課題】
【０００５】
しかしながら、特許文献１の図６〜図８に開示された巻回構造では、ターン数差の大きいターン同士が隣接していることから、大きな寄生容量成分が生じるという問題があった。これは、ターン数差の小さいターン同士によって生じる寄生容量成分は、主に直列に接続されることから、その値が小さくなるのに対し、ターン数差の大きいターン同士によって生じる寄生容量成分は、主に並列に接続されることから、その値が大きくなる傾向があるからである。
【０００６】
したがって、本発明は、２本のワイヤを多層に巻回してなるコイル部品において、寄生容量成分を低減することを目的とする。
【課題を解決するための手段】
【０００７】
本発明によるコイル部品は、巻芯部と、巻芯部に巻回された第１及び第２のワイヤとを備え、第１及び第２のワイヤは、巻芯部上において少なくとも３層の巻回層を構成し、第１及び第２のワイヤの第ｉターン（ｉは１以上の整数）、第ｉ＋１ターン及び第ｉ＋２ターンは、互いに異なる巻回層に位置することを特徴とする。
【０００８】
本発明によれば、ターン数の近い第ｉ〜第ｉ＋２ターンを互いに異なる巻回層に配置していることから、ターン数差の大きいターン同士を隣接させることによる寄生容量成分の増加を防止することができる。
【０００９】
本発明において、第１及び第２のワイヤは、巻芯部に近い層から順に、下層、中間層及び上層を含む３層の巻回層を構成し、下層には第１及び第２のワイヤの第ｉターンが巻回され、中間層には第１及び第２のワイヤの第ｉ＋１ターンが巻回され、上層には第１及び第２のワイヤの第ｉ＋２ターンが巻回されていても構わない。これによれば、第１及び第２のワイヤの第ｉ〜第ｉ＋２ターンからなる巻回パターンを繰り返し形成することによって、３層の巻回層からなる規則的な巻回構造を得ることが可能となる。
【００１０】
本発明において、第１のワイヤの第ｉ＋４ターンは、第１のワイヤの第ｉターンと第２のワイヤの第ｉターンによって形成される谷線に沿って巻回され、第１のワイヤの第ｉ＋５ターンは、第１のワイヤの第ｉ＋１ターンと第２のワイヤの第ｉ＋１ターンによって形成される谷線に沿って巻回されていても構わない。これによれば、第１のワイヤの第ｉ＋４ターンを第１のワイヤの第ｉターンと第２のワイヤの第ｉターンによって形成される谷線によって支持することができ、第１のワイヤの第ｉ＋５ターンを第１のワイヤの第ｉ＋１ターンと第２のワイヤの第ｉ＋１ターンによって形成される谷線によって支持することができる。
【００１１】
この場合、第２のワイヤの第ｉ＋４ターンは、第１のワイヤの第ｉ＋３ターンと第２のワイヤの第ｉターンによって形成される谷線に沿って巻回され、第２のワイヤの第ｉ＋５ターンは、第１のワイヤの第ｉ＋４ターンと第２のワイヤの第ｉ＋１ターンによって形成される谷線に沿って巻回されていても構わない。これによれば、第２のワイヤの第ｉ＋４ターンを第１のワイヤの第ｉ＋３ターンと第２のワイヤの第ｉターンによって形成される谷線によって支持することができ、第２のワイヤの第ｉ＋５ターンを第１のワイヤの第ｉ＋４ターンと第２のワイヤの第ｉ＋１ターンによって形成される谷線によって支持することができる。
【００１２】
本発明において、第１のワイヤの第ｉ＋７ターンは、第１のワイヤの第ｉターンと第２のワイヤの第ｉターンによって形成される谷線に沿って巻回され、第１のワイヤの第ｉ＋５ターンは、第１のワイヤの第ｉ＋１ターンと第２のワイヤの第ｉ＋１ターンによって形成される谷線に沿って巻回されていても構わない。これによれば、第１のワイヤの第ｉ＋７ターンを第１のワイヤの第ｉターンと第２のワイヤの第ｉターンによって形成される谷線によって支持することができ、第１のワイヤの第ｉ＋５ターンは、第１のワイヤの第ｉ＋１ターンと第２のワイヤの第ｉ＋１ターンによって形成される谷線によって支持することができる。
【００１３】
この場合、第２のワイヤの第ｉ＋７ターンは、第１のワイヤの第ｉ＋３ターンと第２のワイヤの第ｉターンによって形成される谷線に沿って巻回され、第２のワイヤの第ｉ＋５ターンは、第１のワイヤの第ｉ＋４ターンと第２のワイヤの第ｉ＋１ターンによって形成される谷線に沿って巻回されていても構わない。これによれば、第２のワイヤの第ｉ＋７ターンを第１のワイヤの第ｉ＋３ターンと第２のワイヤの第ｉターンによって形成される谷線によって支持することができ、第２のワイヤの第ｉ＋５ターンを第１のワイヤの第ｉ＋４ターンと第２のワイヤの第ｉ＋１ターンによって形成される谷線によって支持することができる。
【００１４】
本発明において、第１及び第２のワイヤは、巻芯部に近い層から順に、下層、第１中間層、第２中間層及び上層を含む４層の巻回層を構成し、下層には第１及び第２のワイヤの第ｉターンが巻回され、第１中間層には第１及び第２のワイヤの第ｉ＋１ターンが巻回され、第２中間層には第１及び第２のワイヤの第ｉ＋２ターンが巻回され、上層には第１及び第２のワイヤの第ｉ＋３ターンが巻回されていても構わない。これによれば、第１及び第２のワイヤの第ｉ〜第ｉ＋３ターンからなる巻回パターンを繰り返し形成することによって、４層の巻回層からなる規則的な巻回構造を得ることが可能となる。
【００１５】
本発明において、第１のワイヤの第ｉ＋５ターンは、第１のワイヤの第ｉターンと第２のワイヤの第ｉターンによって形成される谷線に沿って巻回され、第１のワイヤの第ｉ＋６ターンは、第１のワイヤの第ｉ＋１ターンと第２のワイヤの第ｉ＋１ターンによって形成される谷線に沿って巻回され、第１のワイヤの第ｉ＋７ターンは、第１のワイヤの第ｉ＋２ターンと第２のワイヤの第ｉ＋２ターンによって形成される谷線に沿って巻回されていても構わない。これによれば、第１のワイヤの第ｉ＋５ターンを第１のワイヤの第ｉターンと第２のワイヤの第ｉターンによって形成される谷線によって支持することができ、第１のワイヤの第ｉ＋６ターンを第１のワイヤの第ｉ＋１ターンと第２のワイヤの第ｉ＋１ターンによって形成される谷線によって支持することができ、第１のワイヤの第ｉ＋７ターンは、第１のワイヤの第ｉ＋２ターンと第２のワイヤの第ｉ＋２ターンによって形成される谷線によって支持することができる。
【００１６】
この場合、第２のワイヤの第ｉ＋５ターンは、第１のワイヤの第ｉ＋４ターンと第２のワイヤの第ｉターンによって形成される谷線に沿って巻回され、第２のワイヤの第ｉ＋６ターンは、第１のワイヤの第ｉ＋５ターンと第２のワイヤの第ｉ＋１ターンによって形成される谷線に沿って巻回され、第２のワイヤの第ｉ＋７ターンは、第１のワイヤの第ｉ＋６ターンと第２のワイヤの第ｉ＋２ターンによって形成される谷線に沿って巻回されていても構わない。これによれば、第２のワイヤの第ｉ＋５ターンを第１のワイヤの第ｉ＋４ターンと第２のワイヤの第ｉターンによって形成される谷線によって支持することができ、第２のワイヤの第ｉ＋６ターンを第１のワイヤの第ｉ＋５ターンと第２のワイヤの第ｉ＋１ターンによって形成される谷線によって支持することができ、第２のワイヤの第ｉ＋７ターンを第１のワイヤの第ｉ＋６ターンと第２のワイヤの第ｉ＋２ターンによって形成される谷線によって支持することができる。
【００１７】
本発明において、第１のワイヤの第ｉ＋９ターンは、第１のワイヤの第ｉターンと第２のワイヤの第ｉターンによって形成される谷線に沿って巻回され、第１のワイヤの第ｉ＋６ターンは、第１のワイヤの第ｉ＋１ターンと第２のワイヤの第ｉ＋１ターンによって形成される谷線に沿って巻回され、第１のワイヤの第ｉ＋７ターンは、第１のワイヤの第ｉ＋２ターンと第２のワイヤの第ｉ＋２ターンによって形成される谷線に沿って巻回されていても構わない。これによれば、第１のワイヤの第ｉ＋９ターンを第１のワイヤの第ｉターンと第２のワイヤの第ｉターンによって形成される谷線によって支持することができ、第１のワイヤの第ｉ＋６ターンを第１のワイヤの第ｉ＋１ターンと第２のワイヤの第ｉ＋１ターンによって形成される谷線によって支持することができ、第１のワイヤの第ｉ＋７ターンは、第１のワイヤの第ｉ＋２ターンと第２のワイヤの第ｉ＋２ターンによって形成される谷線によって支持することができる。
【００１８】
この場合、第２のワイヤの第ｉ＋９ターンは、第１のワイヤの第ｉ＋４ターンと第２のワイヤの第ｉターンによって形成される谷線に沿って巻回され、第２のワイヤの第ｉ＋６ターンは、第１のワイヤの第ｉ＋５ターンと第２のワイヤの第ｉ＋１ターンによって形成される谷線に沿って巻回され、第２のワイヤの第ｉ＋７ターンは、第１のワイヤの第ｉ＋６ターンと第２のワイヤの第ｉ＋２ターンによって形成される谷線に沿って巻回されていても構わない。これによれば、第２のワイヤの第ｉ＋９ターンを第１のワイヤの第ｉ＋４ターンと第２のワイヤの第ｉターンによって形成される谷線によって支持することができ、第２のワイヤの第ｉ＋６ターンを第１のワイヤの第ｉ＋５ターンと第２のワイヤの第ｉ＋１ターンによって形成される谷線によって支持することができ、第２のワイヤの第ｉ＋７ターンは、第１のワイヤの第ｉ＋６ターンと第２のワイヤの第ｉ＋２ターンによって形成される谷線によって支持することができる。
【００１９】
本発明によるコイル部品は、鍔部と、鍔部に設けられ、第１及び第２のワイヤの一端が継線された端子電極とをさらに備え、第１及び第２のワイヤの一端は、端子電極を介して短絡されていても構わない。これによれば、第１及び第２のワイヤを並列に接続することが可能となる。
【発明の効果】
【００２０】
このように、本発明によるコイル部品によれば、ターン数差の大きいターン同士を隣接させることによる寄生容量成分の増加を防止することが可能となる。
【図面の簡単な説明】
【００２１】
【図１】図１は、本発明の好ましい実施形態によるコイル部品１の外観を示す略斜視図である。
【図２】図２は、第１の変形例によるコイル部品２の外観を示す略斜視図である。
【図３】図３は、巻芯部１３にワイヤＷ１，Ｗ２を巻回する前の状態を示す略斜視図である。
【図４】図４は、第２の変形例によるコイル部品３の外観を示す略斜視図である。
【図５】図５は、コイル部品３が実装される回路基板上のパターン形状を示す略平面図である。
【図６】図６は、ワイヤＷ１，Ｗ２の第１の巻回構造を説明するための模式的な断面図である。
【図７】図７は、第１の巻回構造を得るための方法を説明するための模式的な工程図である。
【図８】図８は、第１の巻回構造を得るための方法を説明するための模式的な工程図である。
【図９】図９は、ワイヤＷ１，Ｗ２の第２の巻回構造を説明するための模式的な断面図である。
【図１０】図１０は、第２の巻回構造を得るための方法を説明するための模式的な工程図である。
【図１１】図１１は、第２の巻回構造を得るための方法を説明するための模式的な工程図である。
【図１２】図１２は、第２の巻回構造を得るための方法を説明するための模式的な工程図である。
【図１３】図１３は、ワイヤＷ１，Ｗ２の第３の巻回構造を説明するための模式的な断面図である。
【図１４】図１４は、第３の巻回構造を得るための方法を説明するための模式的な工程図である。
【図１５】図１５は、ワイヤＷ１，Ｗ２の第４の巻回構造を説明するための模式的な断面図である。
【図１６】図１６は、第４の巻回構造を得るための方法を説明するための模式的な工程図である。
【図１７】図１７は、ワイヤＷ１，Ｗ２が一体化されたペア線の断面図である。
【発明を実施するための形態】
【００２２】
以下、添付図面を参照しながら、本発明の好ましい実施形態について詳細に説明する。
【００２３】
図１は、本発明の好ましい実施形態によるコイル部品１の外観を示す略斜視図である。
【００２４】
図１に示すように、本実施形態によるコイル部品１は、鍔部１１，１２及び巻芯部１３を有するドラム型のコア１０と、鍔部１１，１２に固定された板状のコア２０と、鍔部１１に設けられた端子電極Ｅ１と、鍔部１２に設けられた端子電極Ｅ２と、巻芯部１３に巻回された第１及び第２のワイヤＷ１，Ｗ２とを有している。ワイヤＷ１，Ｗ２は、銅などの良導体を芯材とする被覆導線である。
【００２５】
コア１０は、フェライトなどの高透磁率材料からなるドラム型のブロックであり、鍔部１１，１２とこれらの間に設けられた巻芯部１３が一体化された構造を有している。コア２０もフェライトなどの高透磁率材料からなる板状のブロックである。コア１０とコア２０は、接着剤などを介して互いに固定されている。そして、ワイヤＷ１，Ｗ２の一端は端子電極Ｅ１に継線され、ワイヤＷ１，Ｗ２の他端は端子電極Ｅ２に継線される。端子電極Ｅ１，Ｅ２は、コア１０に焼き付けられた銀ペーストなどからなる。これにより、ワイヤＷ１，Ｗ２の一端は端子電極Ｅ１を介して短絡され、ワイヤＷ１，Ｗ２の他端は端子電極Ｅ２を介して短絡される。つまり、端子電極Ｅ１と端子電極Ｅ２の間に、ワイヤＷ１，Ｗ２が並列に接続されることになる。ワイヤＷ１，Ｗ２を並列に接続しているのは、本実施形態によるコイル部品１が電源回路用のコイル部品であり、低い直流抵抗と高い定格電流が要求されるからである。
【００２６】
また、端子電極Ｅ１，Ｅ２の代わりに、端子金具を用いることも可能である。例えば、図２に示す第１の変形例によるコイル部品２のように、鍔部１１に固定された端子金具３０と、鍔部１２に固定された端子金具４０を用いても構わない。端子金具３０は、接着剤などを介してコア１０の鍔部１１に固定された端子電極であり、ワイヤＷ１，Ｗ２の一端が継線される。端子金具４０は、接着剤などを介してコア１０の鍔部１２に固定された端子電極であり、ワイヤＷ１，Ｗ２の他端が継線される。
【００２７】
コイル部品２の作製時においては、まずコア１０に端子金具３０，４０を接着し、その後、一方の端子金具３０にワイヤＷ１，Ｗ２の一端を継線する。継線前の端子金具３０は、図３に示すように、実装部３１、第１及び第２の継線部３２，３３、第１及び第２の溶接タブ３４，３５、第１及び第２の固定タブ３６，３７、並びに、フィレット形成部３８を有しており、ワイヤＷ１の一端を継線部３２に配置した状態で固定タブ３６を折りたたむことによって、ワイヤＷ１の一端を継線部３２に固定するとともに、ワイヤＷ２の一端を継線部３３に配置した状態で固定タブ３７を折りたたむことによって、ワイヤＷ２の一端を継線部３３に固定する。この状態で、溶接タブ３４，３５を折りたたみ、熱によって溶接タブ３４，３５を融解させることにより、端子金具３０とワイヤＷ１，Ｗ２の一端を溶接する。その後、コア１０を回転させることによってワイヤＷ１，Ｗ２を巻芯部１３に巻回する。継線前の端子金具４０も、実装部４１、第１及び第２の継線部４２，４３、第１及び第２の溶接タブ４４，４５、第１及び第２の固定タブ４６，４７、並びに、フィレット形成部４８を有しており、ワイヤＷ１の他端を継線部４２に配置した状態で固定タブ４６を折りたたむことによって、ワイヤＷ１の他端を継線部４２に固定するとともに、ワイヤＷ２の他端を継線部４３に配置した状態で固定タブ４７を折りたたむことによって、ワイヤＷ２の他端を継線部４３に固定する。この状態で、溶接タブ４４，４５を折りたたみ、熱によって溶接タブ４４，４５を融解させることにより、端子金具４０とワイヤＷ１，Ｗ２の他端を溶接する。最後に、コア１０にコア２０を接着すれば、図２に示すコイル部品２が完成する。
【００２８】
コイル部品２の実使用時においては、回路基板上のランドパターンと端子金具３０，４０の実装部３１，４１がハンダを介して接続される。この時、表面張力によってハンダがフィレット形成部３８，４８にも達し、ハンダフィレットが形成される。
【００２９】
本発明において、ワイヤＷ１，Ｗ２の一端を鍔部１１上で短絡し、ワイヤＷ１，Ｗ２の他端を鍔部１２上で短絡することは必須でなく、図４に示す第２の変形例によるコイル部品３のように、鍔部１１に２つの端子電極Ｅ１１，Ｅ１２を設け、鍔部１２に２つの端子電極Ｅ２１，Ｅ２２を設け、ワイヤＷ１，Ｗ２の一端をそれぞれ端子電極Ｅ１１，Ｅ１２に接続し、ワイヤＷ１，Ｗ２の他端をそれぞれ端子電極Ｅ２１，Ｅ２２に接続しても構わない。この場合、コイル部品３が実装される回路基板上で、端子電極Ｅ１１と端子電極Ｅ１２を短絡するとともに、端子電極Ｅ２１と端子電極Ｅ２２を短絡することにより、ワイヤＷ１，Ｗ２を並列に接続することが可能となる。例えば、図５に示すように、配線５１に接続されたランドパターン６１と、配線５２に接続されたランドパターン６２を有する回路基板上の搭載領域３ａにコイル部品３を搭載すれば良い。搭載領域３ａにコイル部品３を搭載すれば、ランドパターン６１に端子電極Ｅ１１，Ｅ１２が共通に接続され、ランドパターン６２に端子電極Ｅ２１，Ｅ２２が共通に接続されることから、ワイヤＷ１，Ｗ２が並列に接続される。
【００３０】
本実施形態においては、コア１０の巻芯部１３に２本のワイヤＷ１，Ｗ２が複数ターンに亘って多層に巻回されている。
【００３１】
以下、ワイヤＷ１，Ｗ２の巻回構造について詳細に説明する。
【００３２】
図６は、ワイヤＷ１，Ｗ２の第１の巻回構造を説明するための模式的な断面図である。
【００３３】
図６においてワイヤＷ１，Ｗ２に付された番号は、端子電極Ｅ１（Ｅ１１，Ｅ１２）又は端子金具３０を始点としたターン数を示している。図７〜図１６においても同様である。以下に示す例では、ワイヤＷ１，Ｗ２のターン数を３６ターンに設定しているが、本発明がこれに限定されないことは言うまでも無い。
【００３４】
図６に示す第１の巻回構造においては、ワイヤＷ１，Ｗ２が巻芯部１３上において３層の巻回層を構成している。３層の巻回層は、巻芯部１３に最も近い下層Ｌ１と、巻芯部１３から最も離れた上層Ｌ３と、下層Ｌ１と上層Ｌ３の間に位置する中間層Ｌ２からなる。図６に示す例では、下層Ｌ１が最下層を構成し、上層Ｌ３が最上層を構成する。
【００３５】
そして、下層Ｌ１にはワイヤＷ１，Ｗ２の第１，２，４，７，１０，１３，１６，１９，２２，２５，２８，３１，３４ターンが巻回され、中間層Ｌ２にはワイヤＷ１，Ｗ２の第３，５，８，１１，１４，１７，２０，２３，２６，２９，３２，３５ターンが巻回され、上層Ｌ３にはワイヤＷ１，Ｗ２の第６，９，１２，１５，１８，２１，２４，２７，３０，３３，３６ターンが巻回されている。また、対を成すワイヤＷ１，Ｗ２の各ターンは、互いに隣接して同じ巻回層に配置されている。
【００３６】
ここで、中間層Ｌ２に巻回された各ターンは、下層Ｌ１に巻回された隣接する２つのターンによって形成される谷線に沿って巻回される。同様に、上層Ｌ３に巻回された各ターンは、中間層Ｌ２に巻回された隣接する２つのターンによって形成される谷線に沿って巻回される。具体的には、中間層Ｌ２に巻回されたワイヤＷ１の第８，１１，１４，１７，２０，２３，２６，２９，３２，３５ターンは、下層Ｌ１に巻回されたワイヤＷ１の４ターン前のターンとワイヤＷ２の４ターン前のターンによって形成される谷線に沿って巻回され、中間層Ｌ２に巻回されたワイヤＷ２の第８，１１，１４，１７，２０，２３，２６，２９，３２，３５ターンは、下層Ｌ１に巻回されたワイヤＷ１の１ターン前のターンとワイヤＷ２の４ターン前のターンによって形成される谷線に沿って巻回される。また、上層Ｌ３に巻回されたワイヤＷ１の第９，１２，１５，１８，２１，２４，２７，３０，３３，３６ターンは、中間層Ｌ２に巻回されたワイヤＷ１の４ターン前のターンとワイヤＷ２の４ターン前のターンによって形成される谷線に沿って巻回され、上層Ｌ３に巻回されたワイヤＷ２の第９，１２，１５，１８，２１，２４，２７，３０，３３，３６ターンは、中間層Ｌ２に巻回されたワイヤＷ１の１ターン前のターンとワイヤＷ２の４ターン前のターンによって形成される谷線に沿って巻回される。
【００３７】
より一般化して説明すると、下層Ｌ１にはワイヤＷ１，Ｗ２の第ｉターン（ｉは１以上の整数）が巻回され、中間層Ｌ２にはワイヤＷ１，Ｗ２の第ｉ＋１ターンが巻回され、上層Ｌ３にはワイヤＷ１，Ｗ２の第ｉ＋２ターンが巻回される。そして、ワイヤＷ１の第ｉ＋４ターンは、ワイヤＷ１の第ｉターンとワイヤＷ２の第ｉターンによって形成される谷線に沿って巻回され、ワイヤＷ２の第ｉ＋４ターンは、ワイヤＷ１の第ｉ＋３ターンとワイヤＷ２の第ｉターンによって形成される谷線に沿って巻回される。また、ワイヤＷ１の第ｉ＋５ターンは、ワイヤＷ１の第ｉ＋１ターンとワイヤＷ２の第ｉ＋１ターンによって形成される谷線に沿って巻回され、ワイヤＷ２の第ｉ＋５ターンは、ワイヤＷ１の第ｉ＋４ターンとワイヤＷ２の第ｉ＋１ターンによって形成される谷線に沿って巻回される。
【００３８】
図６に示す第１の巻回構造を得るための方法は次の通りである。まず、図７に示すように、ワイヤＷ１，Ｗ２の第１ターンと第２ターンを下層Ｌ１に並べて巻回する。次に、ワイヤＷ１の第３ターンをワイヤＷ１の第１ターンとワイヤＷ２の第１ターンによって形成される谷線に沿って巻回するとともに、ワイヤＷ２の第３ターンをワイヤＷ２の第１ターンとワイヤＷ１の第２ターンによって形成される谷線に沿って巻回する。上述したワイヤＷ１，Ｗ２の第１〜第３ターンは、ワイヤＷ１，Ｗ２の第４ターン以降が崩れないよう正しく巻回するための壁となる部分である。
【００３９】
次に、図８に示すように、ワイヤＷ１，Ｗ２の第４ターンを第２ターンに沿って下層Ｌ１に巻回する。次に、ワイヤＷ１の第５ターンをワイヤＷ１の第２ターンとワイヤＷ２の第２ターンによって形成される谷線に沿って巻回するとともに、ワイヤＷ２の第５ターンをワイヤＷ２の第２ターンとワイヤＷ１の第４ターンによって形成される谷線に沿って巻回する。さらに、ワイヤＷ１の第６ターンをワイヤＷ１の第３ターンとワイヤＷ２の第３ターンによって形成される谷線に沿って巻回するとともに、ワイヤＷ２の第６ターンをワイヤＷ２の第３ターンとワイヤＷ１の第５ターンによって形成される谷線に沿って巻回する。
【００４０】
以降は、上述した第４〜第６ターンからなる３ターンと同じルールで繰り返し巻回作業を進める。つまり、第ｉ〜第ｉ＋２ターンからなる巻回パターンを繰り返し形成することによって、規則的な巻回構造を有する第１の巻回構造を得ることができる。
【００４１】
このように、第１の巻回構造においては、ワイヤＷ１，Ｗ２の同一ターンが同一の巻回層に配置されるとともに、ワイヤＷ１，Ｗ２の連続する３ターンが互いに異なる巻回層に配置される。これにより、同一の巻回層にワイヤＷ１，Ｗ２の連続する複数ターンを順次巻回する場合のように、ターン数差の大きいターン同士が隣接することがないため、寄生容量成分の増加を防止することができる。ターン数差の小さいターン同士によって生じる寄生容量成分は、主に直列に接続されることから、その値が小さくなるのに対し、ターン数差の大きいターン同士によって生じる寄生容量成分は、主に並列に接続されることから、その値が大きくなる傾向がある。そして、第１の巻回構造においては、隣接するターンのターン数差が最大で４に抑えられていることから、寄生容量成分が抑えられ、その結果、共振周波数を高めることが可能となる。
【００４２】
図９は、ワイヤＷ１，Ｗ２の第２の巻回構造を説明するための模式的な断面図である。
【００４３】
図９に示す第２の巻回構造においても、ワイヤＷ１，Ｗ２が巻芯部１３上において３層の巻回層を構成している。
【００４４】
そして、下層Ｌ１にはワイヤＷ１，Ｗ２の第１，２，４，７，８，１１，１４，１７，２０，２３，２６，２９，３２，３５ターンが巻回され、中間層Ｌ２にはワイヤＷ１，Ｗ２の第３，５，９，１２，１５，１８，２１，２４，２７，３０，３３，３６ターンが巻回され、上層Ｌ３にはワイヤＷ１，Ｗ２の第６，１０，１３，１６，１９，２２，２５，２８，３１，３４ターンが巻回されている。また、対を成すワイヤＷ１，Ｗ２の各ターンは、互いに隣接して同じ巻回層に配置されている。
【００４５】
ここで、中間層Ｌ２に巻回された各ターンは、下層Ｌ１に巻回された隣接する２つのターンによって形成される谷線に沿って巻回される。同様に、上層Ｌ３に巻回された各ターンは、中間層Ｌ２に巻回された隣接する２つのターンによって形成される谷線に沿って巻回される。具体的には、中間層Ｌ２に巻回されたワイヤＷ１の第１５，１８，２１，２４，２７，３０，３３，３６ターンは、下層Ｌ１に巻回されたワイヤＷ１の７ターン前のターンとワイヤＷ２の７ターン前のターンによって形成される谷線に沿って巻回され、中間層Ｌ２に巻回されたワイヤＷ２の第１５，１８，２１，２４，２７，３０，３３，３６ターンは、下層Ｌ１に巻回されたワイヤＷ１の４ターン前のターンとワイヤＷ２の７ターン前のターンによって形成される谷線に沿って巻回される。また、上層Ｌ３に巻回されたワイヤＷ１の第１３，１６，１９，２２，２５，２８，３１，３４ターンは、中間層Ｌ２に巻回されたワイヤＷ１の４ターン前のターンとワイヤＷ２の４ターン前のターンによって形成される谷線に沿って巻回され、上層Ｌ３に巻回されたワイヤＷ２の第１３，１６，１９，２２，２５，２８，３１，３４ターンは、中間層Ｌ２に巻回されたワイヤＷ１の１ターン前のターンとワイヤＷ２の４ターン前のターンによって形成される谷線に沿って巻回される。
【００４６】
より一般化して説明すると、下層Ｌ１にはワイヤＷ１，Ｗ２の第ｉターン（ｉは１以上の整数）が巻回され、中間層Ｌ２にはワイヤＷ１，Ｗ２の第ｉ＋１ターンが巻回され、上層Ｌ３にはワイヤＷ１，Ｗ２の第ｉ＋２ターンが巻回される。そして、ワイヤＷ１の第ｉ＋７ターンは、ワイヤＷ１の第ｉターンとワイヤＷ２の第ｉターンによって形成される谷線に沿って巻回され、ワイヤＷ２の第ｉ＋７ターンは、ワイヤＷ１の第ｉ＋３ターンとワイヤＷ２の第ｉターンによって形成される谷線に沿って巻回される。また、ワイヤＷ１の第ｉ＋５ターンは、ワイヤＷ１の第ｉ＋１ターンとワイヤＷ２の第ｉ＋１ターンによって形成される谷線に沿って巻回され、ワイヤＷ２の第ｉ＋５ターンは、ワイヤＷ１の第ｉ＋４ターンとワイヤＷ２の第ｉ＋１ターンによって形成される谷線に沿って巻回される。
【００４７】
図９に示す第２の巻回構造を得るための方法は次の通りである。まず、図１０に示すように、ワイヤＷ１，Ｗ２の第１ターンと第２ターンを下層Ｌ１に並べて巻回する。次に、ワイヤＷ１の第３ターンをワイヤＷ１の第１ターンとワイヤＷ２の第１ターンによって形成される谷線に沿って巻回するとともに、ワイヤＷ２の第３ターンをワイヤＷ２の第１ターンとワイヤＷ１の第２ターンによって形成される谷線に沿って巻回する。次に、ワイヤＷ１，Ｗ２の第４ターンを第２ターンに並べて下層Ｌ１に巻回する。次に、ワイヤＷ１の第５ターンをワイヤＷ１の第２ターンとワイヤＷ２の第２ターンによって形成される谷線に沿って巻回するとともに、ワイヤＷ２の第５ターンをワイヤＷ２の第１ターンとワイヤＷ１の第４ターンによって形成される谷線に沿って巻回する。次に、ワイヤＷ１の第６ターンをワイヤＷ１の第３ターンとワイヤＷ２の第３ターンによって形成される谷線に沿って巻回するとともに、ワイヤＷ２の第６ターンをワイヤＷ２の第３ターンとワイヤＷ１の第５ターンによって形成される谷線に沿って巻回する。そして、ワイヤＷ１，Ｗ２の第７ターンを第４ターンに並べて下層Ｌ１に巻回する。上述したワイヤＷ１，Ｗ２の第１〜第７ターンは、ワイヤＷ１，Ｗ２の第８ターン以降が崩れないよう正しく巻回するための壁となる部分である。第２の巻回構造では、壁を構成するターンのうち、下層Ｌ１に巻回されたターン数が中間層Ｌ２に巻回されたターン数よりも４ターン多いことから、以降の巻回作業において巻崩れが生じにくい。
【００４８】
次に、図１１に示すように、ワイヤＷ１，Ｗ２の第８ターンを第７ターンに沿って下層Ｌ１に巻回する。次に、ワイヤＷ１の第９ターンをワイヤＷ１の第４ターンとワイヤＷ２の第４ターンによって形成される谷線に沿って巻回するとともに、ワイヤＷ２の第９ターンをワイヤＷ２の第４ターンとワイヤＷ１の第７ターンによって形成される谷線に沿って巻回する。さらに、ワイヤＷ１の第１０ターンをワイヤＷ１の第５ターンとワイヤＷ２の第５ターンによって形成される谷線に沿って巻回するとともに、ワイヤＷ２の第１０ターンをワイヤＷ２の第５ターンとワイヤＷ１の第９ターンによって形成される谷線に沿って巻回する。
【００４９】
以降は、上述した第８〜第１０ターンからなる３ターンと同じルールで繰り返し巻回作業を進める。つまり、第ｉ〜第ｉ＋２ターンからなる巻回パターンを繰り返し形成することによって、規則的な巻回構造を有する第２の巻回構造を得ることができる。また、図１２に示す変形例による巻回構造のように、ワイヤＷ１，Ｗ２の第３５ターンを中間層Ｌ２に巻回し、ワイヤＷ１，Ｗ２の第３６ターンを上層Ｌ３に巻回しても構わない。
【００５０】
このように、第２の巻回構造においても、ワイヤＷ１，Ｗ２の同一ターンが同一の巻回層に配置されるとともに、ワイヤＷ１，Ｗ２の連続する３ターンが互いに異なる巻回層に配置されることから、寄生容量成分の増加を防止することができる。具体的には、第２の巻回構造においては、隣接するターンのターン数差が最大で７に抑えられていることから、寄生容量成分が抑えられ、その結果、共振周波数を高めることが可能となる。
【００５１】
図１３は、ワイヤＷ１，Ｗ２の第３の巻回構造を説明するための模式的な断面図である。
【００５２】
図１３に示す第３の巻回構造においては、ワイヤＷ１，Ｗ２が巻芯部１３上において４層の巻回層を構成している。４層の巻回層は、巻芯部１３に近い層から順に、下層Ｌ１、第１中間層Ｌ２ａ、第２中間層Ｌ２ｂ及び上層Ｌ３からなる。
【００５３】
そして、下層Ｌ１にはワイヤＷ１，Ｗ２の第１，２，４，７，１１，１５，１９，２３，２７，３１，３５ターンが巻回され、第１中間層Ｌ２ａにはワイヤＷ１，Ｗ２の第３，５，８，１２，１６，２０，２４，２８，３２，３６ターンが巻回され、第２中間層Ｌ２ｂにはワイヤＷ１，Ｗ２の第６，９，１３，１７，２１，２５，２９，３３ターンが巻回され、上層Ｌ３にはワイヤＷ１，Ｗ２の第１０，１４，１８，２２，２６，３０，３４ターンが巻回されている。また、対を成すワイヤＷ１，Ｗ２の各ターンは、互いに隣接して同じ巻回層に配置されている。
【００５４】
ここで、第１中間層Ｌ２ａに巻回された各ターンは、下層Ｌ１に巻回された隣接する２つのターンによって形成される谷線に沿って巻回される。同様に、第２中間層Ｌ２ｂに巻回された各ターンは、第１中間層Ｌ２ａに巻回された隣接する２つのターンによって形成される谷線に沿って巻回される。そして、上層Ｌ３に巻回された各ターンは、第２中間層Ｌ２ｂに巻回された隣接する２つのターンによって形成される谷線に沿って巻回される。具体的には、第１中間層Ｌ２ａに巻回されたワイヤＷ１の第１２，１６，２０，２４，２８，３２，３６ターンは、下層Ｌ１に巻回されたワイヤＷ１の５ターン前のターンとワイヤＷ２の５ターン前のターンによって形成される谷線に沿って巻回され、第１中間層Ｌ２ａに巻回されたワイヤＷ２の第１２，１６，２０，２４，２８，３２，３６ターンは、下層Ｌ１に巻回されたワイヤＷ２の５ターン前のターンとワイヤＷ１の１ターン前のターンによって形成される谷線に沿って巻回される。また、第２中間層Ｌ２ｂに巻回されたワイヤＷ１の第１３，１７，２１，２５，２９，３３ターンは、第１中間層Ｌ２ａに巻回されたワイヤＷ１の５ターン前のターンとワイヤＷ２の５ターン前のターンによって形成される谷線に沿って巻回され、第２中間層Ｌ２ｂに巻回されたワイヤＷ２の第１３，１７，２１，２５，２９，３３ターンは、第１中間層Ｌ２ａに巻回されたワイヤＷ２の５ターン前のターンとワイヤＷ１の１ターン前のターンによって形成される谷線に沿って巻回される。さらに、上層Ｌ３に巻回されたワイヤＷ１の第１４，１８，２２，２６，３０，３４ターンは、第２中間層Ｌ２ｂに巻回されたワイヤＷ１の５ターン前のターンとワイヤＷ２の５ターン前のターンによって形成される谷線に沿って巻回され、上層Ｌ３に巻回されたワイヤＷ２の第１４，１８，２２，２６，３０，３４ターンは、第２中間層Ｌ２ｂに巻回されたワイヤＷ２の５ターン前のターンとワイヤＷ１の１ターン前のターンによって形成される谷線に沿って巻回される。
【００５５】
より一般化して説明すると、下層Ｌ１にはワイヤＷ１，Ｗ２の第ｉターン（ｉは１以上の整数）が巻回され、第１中間層Ｌ２ａにはワイヤＷ１，Ｗ２の第ｉ＋１ターンが巻回され、第２中間層Ｌ２ｂにはワイヤＷ１，Ｗ２の第ｉ＋２ターンが巻回され、上層Ｌ３にはワイヤＷ１，Ｗ２の第ｉ＋３ターンが巻回される。そして、ワイヤＷ１の第ｉ＋５ターンは、ワイヤＷ１の第ｉターンとワイヤＷ２の第ｉターンによって形成される谷線に沿って巻回され、ワイヤＷ２の第ｉ＋５ターンは、ワイヤＷ１の第ｉ＋４ターンとワイヤＷ２の第ｉターンによって形成される谷線に沿って巻回される。また、ワイヤＷ１の第ｉ＋６ターンは、ワイヤＷ１の第ｉ＋１ターンとワイヤＷ２の第ｉ＋１ターンによって形成される谷線に沿って巻回され、ワイヤＷ２の第ｉ＋６ターンは、ワイヤＷ１の第ｉ＋５ターンとワイヤＷ２の第ｉ＋１ターンによって形成される谷線に沿って巻回される。さらに、ワイヤＷ１の第ｉ＋７ターンは、ワイヤＷ１の第ｉ＋２ターンとワイヤＷ２の第ｉ＋２ターンによって形成される谷線に沿って巻回され、ワイヤＷ２の第ｉ＋７ターンは、ワイヤＷ１の第ｉ＋６ターンとワイヤＷ２の第ｉ＋２ターンによって形成される谷線に沿って巻回される。
【００５６】
図１３に示す第３の巻回構造を得るための方法は次の通りである。まず、図７及び図８を用いて説明した方法によって、ワイヤＷ１，Ｗ２の第１〜第６ターンを巻回する。上述したワイヤＷ１，Ｗ２の第１〜第６ターンは、ワイヤＷ１，Ｗ２の第７ターン以降が崩れないよう正しく巻回するための壁となる部分である。
【００５７】
次に、図１４に示すように、ワイヤＷ１，Ｗ２の第７ターンを第４ターンに沿って下層Ｌ１に巻回する。次に、ワイヤＷ１の第８ターンをワイヤＷ１の第４ターンとワイヤＷ２の第４ターンによって形成される谷線に沿って巻回するとともに、ワイヤＷ２の第８ターンをワイヤＷ２の第４ターンとワイヤＷ１の第７ターンによって形成される谷線に沿って巻回する。次に、ワイヤＷ１の第９ターンをワイヤＷ１の第５ターンとワイヤＷ２の第５ターンによって形成される谷線に沿って巻回するとともに、ワイヤＷ２の第９ターンをワイヤＷ２の第５ターンとワイヤＷ１の第８ターンによって形成される谷線に沿って巻回する。さらに、ワイヤＷ１の第１０ターンをワイヤＷ１の第６ターンとワイヤＷ２の第６ターンによって形成される谷線に沿って巻回するとともに、ワイヤＷ２の第１０ターンをワイヤＷ２の第６ターンとワイヤＷ１の第９ターンによって形成される谷線に沿って巻回する。
【００５８】
以降は、上述した第７〜第１０ターンからなる４ターンと同じルールで繰り返し巻回作業を進める。つまり、第ｉ〜第ｉ＋３ターンからなる巻回パターンを繰り返し形成することによって、規則的な巻回構造を有する第３の巻回構造を得ることができる。
【００５９】
このように、第３の巻回構造においては、ワイヤＷ１，Ｗ２の同一ターンが同一の巻回層に配置されるとともに、ワイヤＷ１，Ｗ２の連続する４ターンが互いに異なる巻回層に配置されることから、寄生容量成分の増加を防止することができる。具体的には、第３の巻回構造においては、隣接するターンのターン数差が最大で５に抑えられていることから、寄生容量成分が抑えられ、その結果、共振周波数を高めることが可能となる。しかも、ワイヤＷ１，Ｗ２が４層の巻回層を構成していることから、巻芯部１３の軸方向における長さをより短縮することが可能となる。
【００６０】
図１５は、ワイヤＷ１，Ｗ２の第４の巻回構造を説明するための模式的な断面図である。
【００６１】
図１５に示す第４の巻回構造においては、第３の巻回構造と同様、ワイヤＷ１，Ｗ２が巻芯部１３上において４層の巻回層を構成している。
【００６２】
そして、下層Ｌ１にはワイヤＷ１，Ｗ２の第１，２，４，７，８，１２，１６，２０，２４，２８，３２ターンが巻回され、第１中間層Ｌ２ａにはワイヤＷ１，Ｗ２の第３，５，９，１３，１７，２１，２５，２９，３３，３６ターンが巻回され、第２中間層Ｌ２ｂにはワイヤＷ１，Ｗ２の第６，１０，１４，１８，２２，２６，３０，３４ターンが巻回され、上層Ｌ３にはワイヤＷ１，Ｗ２の第１１，１５，１９，２３，２７，３１，３５ターンが巻回されている。また、対を成すワイヤＷ１，Ｗ２の各ターンは、互いに隣接して同じ巻回層に配置されている。
【００６３】
ここで、第１中間層Ｌ２ａに巻回された各ターンは、下層Ｌ１に巻回された隣接する２つのターンによって形成される谷線に沿って巻回される。同様に、第２中間層Ｌ２ｂに巻回された各ターンは、第１中間層Ｌ２ａに巻回された隣接する２つのターンによって形成される谷線に沿って巻回される。そして、上層Ｌ３に巻回された各ターンは、第２中間層Ｌ２ｂに巻回された隣接する２つのターンによって形成される谷線に沿って巻回される。具体的には、第１中間層Ｌ２ａに巻回されたワイヤＷ１の第１７，２１，２５，２９，３３ターンは、下層Ｌ１に巻回されたワイヤＷ１の９ターン前のターンとワイヤＷ２の９ターン前のターンによって形成される谷線に沿って巻回され、第１中間層Ｌ２ａに巻回されたワイヤＷ２の第１７，２１，２５，２９，３３ターンは、下層Ｌ１に巻回されたワイヤＷ２の９ターン前のターンとワイヤＷ１の５ターン前のターンによって形成される谷線に沿って巻回される。また、第２中間層Ｌ２ｂに巻回されたワイヤＷ１の第１０，１４，１８，２２，２６，３０，３４ターンは、第１中間層Ｌ２ａに巻回されたワイヤＷ１の５ターン前のターンとワイヤＷ２の５ターン前のターンによって形成される谷線に沿って巻回され、第２中間層Ｌ２ｂに巻回されたワイヤＷ２の第１８，２２，２６，３０，３４ターンは、第１中間層Ｌ２ａに巻回されたワイヤＷ２の５ターン前のターンとワイヤＷ１の１ターン前のターンによって形成される谷線に沿って巻回される。さらに、上層Ｌ３に巻回されたワイヤＷ１の第１１，１５，１９，２３，２７，３１，３５ターンは、第２中間層Ｌ２ｂに巻回されたワイヤＷ１の５ターン前のターンとワイヤＷ２の５ターン前のターンによって形成される谷線に沿って巻回され、上層Ｌ３に巻回されたワイヤＷ２の第１１，１５，１９，２３，２７，３１，３５ターンは、第２中間層Ｌ２ｂに巻回されたワイヤＷ２の５ターン前のターンとワイヤＷ１の１ターン前のターンによって形成される谷線に沿って巻回される。
【００６４】
より一般化して説明すると、下層Ｌ１にはワイヤＷ１，Ｗ２の第ｉターン（ｉは１以上の整数）が巻回され、第１中間層Ｌ２ａにはワイヤＷ１，Ｗ２の第ｉ＋１ターンが巻回され、第２中間層Ｌ２ｂにはワイヤＷ１，Ｗ２の第ｉ＋２ターンが巻回され、上層Ｌ３にはワイヤＷ１，Ｗ２の第ｉ＋３ターンが巻回される。そして、ワイヤＷ１の第ｉ＋９ターンは、ワイヤＷ１の第ｉターンとワイヤＷ２の第ｉターンによって形成される谷線に沿って巻回され、ワイヤＷ２の第ｉ＋９ターンは、ワイヤＷ１の第ｉ＋４ターンとワイヤＷ２の第ｉターンによって形成される谷線に沿って巻回される。また、ワイヤＷ１の第ｉ＋６ターンは、ワイヤＷ１の第ｉ＋１ターンとワイヤＷ２の第ｉ＋１ターンによって形成される谷線に沿って巻回され、ワイヤＷ２の第ｉ＋６ターンは、ワイヤＷ１の第ｉ＋５ターンとワイヤＷ２の第ｉ＋１ターンによって形成される谷線に沿って巻回される。さらに、ワイヤＷ１の第ｉ＋７ターンは、ワイヤＷ２の第ｉ＋２ターンとワイヤＷ２の第ｉ＋２ターンによって形成される谷線に沿って巻回され、ワイヤＷ２の第ｉ＋７ターンは、ワイヤＷ１の第ｉ＋６ターンとワイヤＷ２の第ｉ＋２ターンによって形成される谷線に沿って巻回される。
【００６５】
図１５に示す第４の巻回構造を得るための方法は次の通りである。まず、図１０を用いて説明した方法によって、ワイヤＷ１，Ｗ２の第１〜第７ターンを巻回する。上述したワイヤＷ１，Ｗ２の第１〜第７ターンは、ワイヤＷ１，Ｗ２の第８ターン以降が崩れないよう正しく巻回するための壁となる部分である。第４の巻回構造では、壁を構成するターンのうち、下層Ｌ１に巻回されたターン数が中間層Ｌ２に巻回されたターン数よりも４ターン多いことから、以降の巻回作業において巻崩れが生じにくい。
【００６６】
次に、図１６に示すように、ワイヤＷ１，Ｗ２の第８ターンを第７ターンに沿って下層Ｌ１に巻回する。次に、ワイヤＷ１の第９ターンをワイヤＷ１の第４ターンとワイヤＷ２の第４ターンによって形成される谷線に沿って巻回するとともに、ワイヤＷ２の第９ターンをワイヤＷ２の第４ターンとワイヤＷ１の第７ターンによって形成される谷線に沿って巻回する。次に、ワイヤＷ１の第１０ターンをワイヤＷ１の第５ターンとワイヤＷ２の第５ターンによって形成される谷線に沿って巻回するとともに、ワイヤＷ２の第１０ターンをワイヤＷ２の第５ターンとワイヤＷ１の第９ターンによって形成される谷線に沿って巻回する。さらに、ワイヤＷ１の第１１ターンをワイヤＷ１の第６ターンとワイヤＷ２の第６ターンによって形成される谷線に沿って巻回するとともに、ワイヤＷ２の第１１ターンをワイヤＷ２の第６ターンとワイヤＷ１の第１０ターンによって形成される谷線に沿って巻回する。
【００６７】
以降は、上述した第８〜第１１ターンからなる４ターンと同じルールで繰り返し巻回作業を進める。つまり、第ｉ〜第ｉ＋３ターンからなる巻回パターンを繰り返し形成することによって、規則的な巻回構造を有する第３の巻回構造を得ることができる。
【００６８】
このように、第４の巻回構造においても、ワイヤＷ１，Ｗ２の同一ターンが同一の巻回層に配置されるとともに、ワイヤＷ１，Ｗ２の連続する４ターンが互いに異なる巻回層に配置されることから、寄生容量成分の増加を防止することができる。具体的には、第４の巻回構造においては、隣接するターンのターン数差が最大で９に抑えられていることから、寄生容量成分が抑えられ、その結果、共振周波数を高めることが可能となる。しかも、ワイヤＷ１，Ｗ２が４層の巻回層を構成していることから、巻芯部１３の軸方向における長さをより短縮することが可能となる。
【００６９】
以上説明したように、本実施形態においては、対を成すワイヤＷ１，Ｗ２の各ターンが互いに隣接して同じ巻回層に配置されていることから、ワイヤＷ１，Ｗ２の同一ターンを互いに異なる巻回層に配置する方法に比べて、巻回作業が容易となる。また、ワイヤＷ１，Ｗ２については、図１７に示すように、両者が絶縁体７０によって一体化されたペア線を用いても構わない。
【００７０】
以上、本発明の好ましい実施形態について説明したが、本発明は、上記の実施形態に限定されることなく、本発明の主旨を逸脱しない範囲で種々の変更が可能であり、それらも本発明の範囲内に包含されるものであることはいうまでもない。
【００７１】
例えば、上記実施形態では、対を成すワイヤＷ１，Ｗ２の全てのターンを互いに同じ巻回層に配置しているが、一部のターンについては互いに異なる巻回層に配置しても構わない。
【符号の説明】
【００７２】
１〜３    コイル部品
３ａ    搭載領域
１０，２０    コア
１１，１２    鍔部
１３    巻芯部
３０，４０    端子金具
３１，４１    実装部
３２，３３，４２，４３    継線部
３４，３５，４４，４５    溶接タブ
３６，３７，４６，４７    固定タブ
３８，４８    フィレット形成部
５１，５２    配線
６１，６２    ランドパターン
７０    絶縁体
Ｅ１，Ｅ２，Ｅ１１，Ｅ１２，Ｅ２１，Ｅ２２    端子電極
Ｌ１    下層
Ｌ２    中間層
Ｌ２ａ    第１中間層
Ｌ２ｂ    第２中間層
Ｌ３    上層
Ｗ１，Ｗ２    ワイヤ
【図１】
2020120089.tif 000003
【図２】
2020120089.tif 000004
【図３】
2020120089.tif 000005
【図４】
2020120089.tif 000006
【図５】
2020120089.tif 000007
【図６】
2020120089.tif 000008
【図７】
2020120089.tif 000009
【図８】
2020120089.tif 000010
【図９】
2020120089.tif 000011
【図１０】
2020120089.tif 000012
【図１１】
2020120089.tif 000013
【図１２】
2020120089.tif 000014
【図１３】
2020120089.tif 000015
【図１４】
2020120089.tif 000016
【図１５】
2020120089.tif 000017
【図１６】
2020120089.tif 000018
【図１７】
2020120089.tif 000019